【事件の表示】
　商願２０００−１１２７２９拒絶査定不服審判事件について、次のとおり審決する。
【結　論】
　原査定を取り消す。
　本願商標は、登録すべきものとする。
【理　由】
１　本願商標
　本願商標は、別掲のとおり、図案化し色彩を用いた「Ｍ」と、「ＳＴＡＧＥ」の欧文字を二段に表示してなり、第９類、第１６類、第３５類，第３６類、第３８類、第３９類、第４１類及び第４２類に属する商品及び役務を指定商品及び指定役務として、平成１２年１０月１７日に登録出願されたものである。
　そして、指定商品及び指定役務については、平成１３年１２月１０日付けの手続補正書により、第９類「理化学機械器具，測定機械器具，配電用又は制御用の機械器具，電池，電気磁気測定器，電線及びケーブル，写真機械器具，映画機械器具，光学機械器具，眼鏡，加工ガラス（建築用のものを除く。），救命用具，電気通信機械器具，レコード，電子応用機械器具及びその部品，オゾン発生器，電解槽，ロケット，遊園地用機械器具，スロットマシン，運動技能訓練用シミュレーター，乗物運転技能訓練用シミュレーター，回転変流機，調相機，電気アイロン，電気式ヘアカーラー，電気ブザー，鉄道用信号機，乗物の故障の警告用の三角標識，発光式又は機械式の道路標識，火災報知機，ガス漏れ警報器，事故防護用手袋，消火器，消火栓，消火ホース用ノズル，消防車，消防艇，スプリンクラー消火装置，盗難警報器，保安用ヘルメット，防火被服，防じんマスク，防毒マスク，磁心，自動車用シガーライター，抵抗線，電極，溶接マスク，映写フィルム，スライドフィルム，スライドフィルム用マウント，録画済みビデオディスク及びビデオテープ，ガソリンステーション用装置，自動販売機，駐車場用硬貨作動式ゲート，金銭登録機，計算尺，硬貨の計数用又は選別用の機械，作業記録機，写真複写機，手動計算機，製図用又は図案用の機械器具，タイムスタンプ，タイムレコーダー，電気計算機，パンチカードシステム機械，票数計算機，ビリングマシン，郵便切手のはり付けチェック装置，ウエイトベルト，ウエットスーツ，浮袋，エアタンク，水泳用浮き板，潜水用機械器具，レギュレーター，アーク溶接機，家庭用テレビゲームおもちゃ，金属溶断機，検卵器，電気溶接装置，電動式扉自動開閉装置，メトロノーム，ダウンロード可能な画像・音楽・家庭用テレビゲームおもちゃ用ゲームプログラム」、第１６類「紙類，紙製包装用容器，家庭用食品包装フィルム，紙製ごみ収集用袋，プラスチック製ごみ収集用袋，衛生手ふき，型紙，紙製テーブルクロス，紙製テーブルナプキン，紙製タオル，紙製手ふき，紙製のぼり，紙製旗，紙製ハンカチ，紙製ブラインド，紙製幼児用おしめ，裁縫用チャコ，荷札，印刷物，書画，写真，写真立て，遊戯用カード，文房具類，事務用又は家庭用ののり及び接着剤，青写真複写機，あて名印刷機，印刷用インテル，印字用インクリボン，活字，こんにゃく版複写機，自動印紙はり付け機，事務用電動式ホッチキス，事務用封かん機，消印機，製図用具，装飾塗工用ブラシ，タイプライター，チェックライター，謄写版，凸版複写機，文書細断機，封ろう，マーキング用孔開型板，郵便料金計器，輪転謄写機，観賞魚用水槽及びその附属品」、第３５類「広告，トレーディングスタンプの発行，経営の診断及び指導，市場調査，商品の販売に関する情報の提供，ホテルの事業の管理，財務書類の作成，職業のあっせん，競売の運営，輸出入に関する事務の代理又は代行，新聞の予約購読の取次ぎ，書類の複製，速記，筆耕，電子計算機・タイプライター・テレックス又はこれらに準ずる事務用機器の操作，文書又は磁気テープのファイリング，建築物における来訪者の受付及び案内，広告用具の貸与，タイプライター・複写機及びワードプロセッサの貸与，移動体電話又は電子計算機端末による広告の代理」、第３６類「預金の受入れ（債券の発行により代える場合を含む。）及び定期積金の受入れ，資金の貸付け及び手形の割引，内国為替取引，債務の保証及び手形の引受け，有価証券の貸付け，金銭債権の取得及び譲渡，有価証券・貴金属その他の物品の保護預かり，両替，金融先物取引の受託，金銭・有価証券・金銭債権・動産・土地若しくはその定著物又は地上権若しくは土地の賃借権の信託の引受け，債券の募集の受託，外国為替取引，信用状に関する業務，前払式証票の発行，ガス料金又は電気料金の徴収の代行，有価証券の売買，有価証券指数等先物取引，有価証券オプション取引及び外国市場証券先物取引，有価証券の売買・有価証券指数等先物取引・有価証券オプション取引及び外国市場証券先物取引の媒介・取次ぎ又は代理，有価証券市場における有価証券の売買取引・有価証券指数等先物取引及び有価証券オプション取引の委託の媒介・取次ぎ又は代理，外国有価証券市場における有価証券の売買取引及び外国市場証券先物取引の委託の媒介・取次ぎ又は代理，有価証券の引受け，有価証券の売出し，有価証券の募集又は売出しの取扱い，株式市況に関する情報の提供，商品市場における先物取引の受託，割賦購入あっせん，生命保険契約の締結の媒介，生命保険の引受け，損害保険契約の締結の代理，損害保険に係る損害の査定，損害保険の引受け，保険料率の算出，建物又は土地の鑑定評価，建物又は土地の情報の提供，慈善のための募金」、第３８類「移動体電話による通信，テレックスによる通信，電子計算機端末による通信，電報による通信，電話による通信，ファクシミリによる通信，無線呼出し，テレビジョン放送，有線テレビジョン放送，ラジオ放送，報道をする者に対するニュースの供給，電話機・ファクシミリその他の通信機器の貸与，移動体電話・電子計算機端末又は電話による通信の利用に関する助言及びその情報の提供，映像・音声又はデータの伝送交換」、第３９類「鉄道による輸送，車両による輸送，船舶による輸送，航空機による輸送，貨物のこん包，貨物の積卸し，貨物の輸送の媒介，船舶の貸与・売買又は運航の委託の媒介，船舶の引揚げ，水先案内，主催旅行の実施，旅行者の案内，旅行に関する契約（宿泊に関するものを除く。）の代理・媒介又は取次ぎ，寄託を受けた物品の倉庫における保管，他人の携帯品の一時預かり，ガスの供給，電気の供給，水の供給，熱の供給，係留施設の提供，倉庫の提供，駐車場の提供，飛行場の提供，車いす貸与，自転車の貸与，航空機の貸与，コンテナの貸与，パレットの貸与，自動車の貸与，船舶の貸与，包装用機械器具の貸与」、第４１類「技芸・スポーツ又は知識の教授，動物の調教，植物の供覧，図書及び記録の供覧，美術品の展示，庭園の供覧，洞窟の供覧，映画・演芸・演劇又は音楽の演奏の興行の企画又は運営，映画の上映・制作又は配給，演芸の上演，演劇の演出又は上演，音楽の演奏，放送番組の制作，ゴルフの興行の企画・運営又は開催，相撲の興行の企画・運営又は開催，ボクシングの興行の企画・運営又は開催，野球の興行の企画・運営又は開催，サッカーの興行の企画・運営又は開催，競馬の企画・運営又は開催，競輪の企画・運営又は開催，競艇の企画・運営又は開催，小型自動車競走の企画・運営又は開催，当せん金付証票の発売，音響用又は映像用のスタジオの提供，運動施設の提供，娯楽施設の提供，興行場の座席の手配，映写機及びその附属品の貸与，映写フィルムの貸与，楽器の貸与，スキー用具の貸与，スキンダイビング用具の貸与，テレビジョン受信機の貸与，ラジオ受信機の貸与，図書の貸与，レコード又は録音済み磁気テープの貸与，録画済み磁気テープも貸与，おもちゃの貸与，遊園地用機械器具の貸与，遊戯用器具の貸与，映画・演芸・演劇又は音楽の演奏その他の娯楽情報に関する情報の提供，通信網を介した映画・演芸・演劇・音楽・写真画像又はゲームの提供」及び第４２類「宿泊施設の提供，宿泊施設の提供の契約の媒介又は取次ぎ，飲食物の提供，美容，理容，入浴施設の提供，写真の撮影，オフセット印刷，グラビア印刷，スクリーン印刷，石版印刷，凸版印刷，気象情報の提供，求人情報の提供，結婚又は交際を希望する者への異性の紹介，婚礼（結婚披露を含む。）のための施設の提供，葬儀の執行，墓地又は納骨堂の提供，一般廃棄物の収集及び分別，産業廃棄物の収集及び分別，庭園又は花壇の手入れ，庭園樹の植樹，肥料の散布，雑草の防除，有害動物の防除（農業・園芸又は林業に関するものに限る。），建築物の設計，測量，地質の調査，機械・装置若しくは器具（これらの部品を含む。）又はこれらにより構成される設備の設計，デザインの考案，電子計算機・自動車その他その用途に応じて的確な操作をするためには高度の専門的な知識・技術又は経験を必要とする機械の性能・操作方法等に関する紹介及び説明，電子計算機のプログラムの設計・作成又は保守，医薬品・化粧品又は食品の試験・検査又は研究，建築又は都市計画に関する研究，公害の防止に関する試験又は研究，電気に関する試験又は研究，土木に関する試験又は研究，農業・畜産又は水産に関する試験・検査又は研究，機械器具に関する試験又は研究，著作権の利用に関する契約の代理又は媒介，通訳，翻訳，施設の警備，身辺の警備，個人の身元又は行動に関する調査，あん摩・マッサージ及び指圧，きゅう，柔道整復，はり，医業，医療情報の提供，健康診断，歯科医業，調剤，栄養の指導，家畜の診療，保育所における乳幼児の保育，老人の養護，編み機の貸与，ミシンの貸与，衣服の貸与，植木の貸与，カーテンの貸与，家具の貸与，壁掛けの貸与，敷物の貸与，会議室の貸与，展示施設の貸与，カメラの貸与，光学機械器具の貸与，漁業用機械器具の貸与，鉱山機械器具の貸与，計測器の貸与，コンバインの貸与，祭壇の貸与，自動販売機の貸与，芝刈機の貸与，火災報知機の貸与，消火器の貸与，タオルの貸与，暖冷房装置の貸与，超音波診断装置の貸与，加熱器の貸与，調理台の貸与，流し台の貸与，凸版印刷機の貸与，電子計算機（中央処理装置及び電子計算機用プログラムを記憶させた電子回路・磁気ディスク・磁気テープその他の周辺機器を含む。）の貸与，理化学機械器具の貸与，ルームクーラーの貸与，通信網を介して提供されるプログラムの設計・作成及び提供、通信網を介した新聞記事情報の提供」と補正されたものである。
　
２　引用商標
　原査定において、本願の拒絶理由に引用した、登録第１７３１６５３号，登録第２０３６０５７号、登録第２０６５９３２号、登録第２４３５８５６号、登録第２６２２２２９号、登録第２７１２６６８号、登録第３００６０９０号、登録第３０４５３８７号、登録第３０４５４１５号、登録第３０７７２８３号、登録第４１７３６１５号、登録第４２２０４７５号、登録第４４７５６５３号及び登録第４５３６１７２号の各商標（以下、併せて『引用各商標』という。）は、それぞれ「ＳＴＡＧＥ」「ステージ」、「ＳＴＡＧＥ」及び「ステージ」「ＳＴＡＧＥ」の文字よりなるものである。
　
３　当審の判断
　本願商標は、「Ｍ」の欧文字をやや図案化し青色の色彩を施して表し、その下に「ＳＴＡＧＥ」の欧文字を表示してなるものであるところ、その構成は、まとまりよく一体的であると認められ、たとえ図案化した「Ｍ」と「ＳＴＡＧＥ」の欧文字が上下に表されているとしても、顕著に表された「Ｍ」の部分がことさら目を引くことから、この「Ｍ」の部分に着目せずに「ＳＴＡＧＥ」の欧文字のみが独立して自他商品識別標識として機能を果たし得るとみるのは不自然ともいえるものである。
　しかるところ、例えば、請求人提出の甲第５号証によれば、情報・通信事典「Ｍ−ｓｔａｇｅ」の項において「読み方：エムステージ　ＮＴＴドコモが同社のＰＨＳ通信網で提唱しているマルチメディア情報配信サービス」の記載があり、また、甲第１０号証ないし甲第１３号証の、株式会社ＮＴＴドコモの音楽配信サービスのための「Ｍ−ｓｔａｇｅ　ｍｕｓｉｃ　Ｇｕｉｄｅ　Ｂｏｏｋ」や、映像＆音楽配信サ−ビスのための「Ｍ−ｓｔａｇｅ　ｖｉｓｕａｌ／ｍｕｓｉｃ」（２００１年１０月ないし２００２年５月に発行されたもの）等には、「Ｍ−ｓｔａｇｅ」の欧文字及び「エムステージ」文字等と共に、本願商標が多数表示されている。そして、「Ｍ−ｓｔａｇｅ　ｍｕｓｉｃ　Ｇｕｉｄｅ　Ｂｏｏｋ」には、「『Ｍ−ｓｔａｇｅ』は、映画，ニュース、スポーツをはじめとした映像や、ＣＤに迫る音質のヒットソングなどが、いつでも、どこでも対応の携帯端末で楽しめるサービスです。」と記載されている。
　これらによれば、本願商標は、「Ｍ−ｓｔａｇｅ」及び「エムステージ」の文字と共に携帯端末等を用いた映像や音楽の配信サービスの提供に使用されている実情があり、これらのサービスの提供を利用する取引者、需要者が、本願商標に接する機会が多いことを考慮すれば、本願商標は、取引場裡にあっては一体不可分の構成態様よりなる商標と理解、認識されると認められ、「エムステージ」の称呼をもって取引に資されるものとして、いまや定着しているというのが相当である。
　してみれば、本願商標は、構成全体より「エムステージ」の称呼を生ずるというべきである。
　一方、引用各商標は「ステージ」の称呼を生ずること明らかであるから、本願商標から生ずる「エムステージ」の称呼とは、構成音数において差異があり称呼上明確に区別し得るものである。
　したがって、本願商標より「ステージ」の称呼をも生ずるとし、そのうえで、本願商標と引用各商標が称呼上類似するものとして、本願商標を商標法第４条第１項第１１号に該当するとした原査定は、取消しを免れない。
　その他、政令で定める期間内に本願について拒絶の理由を発見しない。
　よって、結論のとおり審決する。